(57)【要約】【課題】現用系及び待機系をともに特殊の機能を必要としない一般的なサーバにより構成して、コストダウンを図る。【解決手段】冗長構成を有する通信システムとしての電話交換システム１は、通信端末を含む対向ネットワーク４０と第１のネットワーク３０を通じて選択的に接続されるとともに、第２のネットワーク５０を通じて相互に接続される第１及び第２のサーバ１０、２０を備え、第１及び第２のサーバ１０、２０はそれぞれ対向ネットワーク４０から送信された呼をいずれか側のサーバに振り分ける機能を有する呼振り分け機能部１１、２１と、各呼振り分け機能部１１，２１により振り分けられた呼を処理する機能を有する呼処理機能部１２、２２を有している。【選択図】図２
2009246475.tif 000002
【特許請求の範囲】
【請求項１】
サービス中装置である現用系と予備装置である待機系から成る冗長構成を有する通信システムであって、
通信端末を含む通信用ネットワーク網から成る対向ネットワークと第１のネットワークを通じて選択的に接続されるとともに、第２のネットワークを通じて相互に接続される第１のサーバ及び第２のサーバを備え、
前記第１及び第２のサーバはそれぞれ、前記対向ネットワークから送信された呼をいずれか側のサーバに振り分ける機能を有する呼振り分け機能部と、各呼振り分け機能部により振り分けられた前記呼を処理する機能を有する呼処理機能部を有し、
前記現用系となる前記両サーバの内の一方側のサーバに送信された呼は該サーバの前記呼処理機能部により処理され、前記現用系から前記待機系への系切り替え時には、前記現用系に送信された新規呼は前記一方側のサーバの前記呼振り分け機能部により前記待機系となる他方側のサーバに転送されて、該他方側のサーバの前記呼処理機能部により処理される、
ことを特徴とする冗長構成を有する通信システム。
【請求項２】
前記系切り替え時に前記現用系となる前記一方側のサーバに通話中呼が残っている場合は、該通話中呼は前記一方側のサーバの前記呼処理機能部により処理されることを特徴とする請求項１記載の冗長構成を有する通信システム。
【請求項３】
前記第１のネットワークは、前記現用系と外部装置との通信用ＩＰアドレスを使用して前記対向ネットワークと前記両サーバの内のいずれか側のサーバを接続し、前記外部装置との前記通信用ＩＰアドレスは前記現用系として動作している側のサーバにのみ設定されることを特徴とする請求項１又は２記載の冗長構成を有する通信システム。
【請求項４】
前記第２のネットワークは、前記現用系と前記待機系との通信用ＩＰアドレスを使用して前記第１のサーバと前記第２のサーバを相互に接続することを特徴とする請求項１、２又は３記載の冗長構成を有する通信システム。
【請求項５】
前記両サーバの内の待機系となるいずれかのサーバを、予め新しいファイルで運用しておくことを特徴とする請求項１乃至４のいずれか１に記載の冗長構成を有する通信システム。
【請求項６】
請求項１乃至５のいずれか１に記載の冗長構成を有する通信システムによる系切り替え方法であって、
前記現用系となる前記一方側のサーバの前記呼振り分け機能部が前記対向ネットワークから送信されてきた呼情報に基づいて、前記一方側のサーバが前記現用系から前記待機系へ系切り替え中であるか否かを判定するステップと、
前記系切り替え中でない場合は、前記呼振り分け機能部が新規呼を受信したか否かを判定し、該新規呼を受信した場合は、前記一方側のサーバの前記呼処理機能部が前記新規呼の必要な呼処理を行うステップと、
前記系切り替え中である場合は、前記呼処理機能部が通話中呼が残っているか否かを判定し、該通話中呼が残っていない場合は、前記呼処理機能部が前記他方側のサーバへの呼切り替え準備が整ったと判断して、前記一方側のサーバ側に設定されていた外部装置との通信用ＩＰアドレスを削除して、前記他方側のサーバ側に設定するステップと、
前記通話中呼が残っている場合は、前記呼処理機能部が前記通話中呼の必要な呼処理を行うとともに、前記呼振り分け機能部が前記新規呼を受信したか否かを判定し、該新規呼を受信した場合は、前記呼振り分け機能部が前記一方側のサーバから前記他方側のサーバへ前記新規呼を転送して、前記他方側のサーバの前記呼処理機能部が前記新規呼の必要な処理を行うステップと、
を経ることを特徴とする冗長構成を有する通信システムによる系切り替え方法。
【請求項７】
前記一方側のサーバから前記他方側のサーバへの前記新規呼の転送は、前記現用系と前記待機系との通信用ＩＰアドレスを使用して行われることを特徴とする請求項６記載の冗長構成を有する通信システムによる系切り替え方法。
【請求項８】
前記系切り替え中でない場合で前記新規呼を受信しない場合、あるいは前記系切り替え中で前記新規呼を受信しない場合は、前記一方側のサーバが前記現用系から前記待機系へ系切り替え中であるか否かを判定するステップへ戻ることを特徴とする請求項６又は７記載の冗長構成を有する通信システムによる系切り替え方法。
【発明の詳細な説明】
【技術分野】
【０００１】
この発明は、冗長構成を有する通信システム及び該システムによる系切り替え方法に係り、詳しくは、サービス中装置である現用系と予備装置である待機系から成る冗長構成を有する電話交換システムなどにおいて、サービスを中断することなく系切り替えを行う冗長構成を有する通信システム及び該システムによる系切り替え方法に関する。
【背景技術】
【０００２】
例えば、電話交換システムのような通信システムでは、サービスの連続性が重要なので、システムには現用系（運用系）と待機系（予備系）の２系から成る耐障害性の高い冗長構成が一般的に採用されている。これによって、システムの保守のための系切り替え時や、機能追加のためのファイル更新時に、サービスが中断されるのを防止してサービスの連続性が確保できるように図られている。
【０００３】
しかしながら、実際には上述のような系切り替え時やファイル更新時に、何らかの理由でサービスが一時的に中断される場合があるので、冗長構成の目的が達成されないこともある。
【０００４】
このような観点から、サービスを中断することなくファイル更新が行えるようにした無中断ファイル更新処理方式が提供されている（特許文献１）。同無中断ファイル更新処理方式は、図４に示すように、旧ファイルで運転する運用系１Ａと新ファイルを格納した予備系１Ｂとが、ファイル入替時の非同期運転により旧ファイル上で実行中のサービスを確保しつつ新ファイル上でもサービスを開始し、旧ファイルの処理が終了することで切替を完了する。ここで、運用系１Ａと予備系１Ｂとはそれぞれ、主記憶装置ＭＭ（０）３ＡとＭＭ（１）３Ｂとにファイル交換のためのプログラムを内蔵し、新しい呼はＣＰＵ（０）２ＡとＣＰＵ（１）２Ｂとの通信制御のもとにＭＭ（１）３Ｂに入力しつつ呼サービスを実行するように構成されている。
【０００５】
また、交換サービスを停止しないでシステムファイルを入れ替えることが可能なシステムファイル入れ替え方式が提供されている（特許文献２）。同システムファイル入れ替え方式は、旧呼は旧制御装置で処理を継続し、新呼は新制御装置で処理する新旧制御手段と、旧呼に関する信号のみを処理し、新呼に関する信号のみを処理する新呼・旧呼識別処理手段と、新旧制御装置からの通話路装置へのアクセス競合制御を行い、かつ通話路装置から新制御装置及び旧制御装置へのすべての信号を分配する分配手段と、旧制御装置と新制御装置の間で共通に使用する共通リソース管理情報を新旧両方の制御装置で共有する共有手段と、新制御装置で新呼の処理を開始後、一定の時間経過してから旧呼を新制御装置に移す移管手段とを含むように構成されている。
【０００６】
さらに、商用電源の停電時に蓄電池より電源を供給して通話中の呼を保持するボタン電話装置が提供されている。同ボタン電話装置は、蓄積プログラム方式による主制御回路とともに、商用電源の有無を検出する商用電源検出回路を備え、その主制御回路は、商用電源検出回路に商用電源断が検出されたときそのボタン電話装置に通話中の呼があるか否かを検出する手段と、この手段により通話中の呼がないことが検出されたときには蓄電池からの電源供給を遮断するように制御する手段とを含むように構成されている。
【特許文献１】特開平０７−１７７５４３号公報
【特許文献２】特開平０６−１７５８９６号公報
【特許文献３】特開昭５９−１４３４９１号公報
【０００７】
なお、特許文献２には、冗長構成を有する通信システムが開示されているが、本願発明のように系切り替え時に現用系のサーバに残っている通話中呼を完全に呼処理した後に系切り替えを行うことについては開示されていない。
特許文献３には、商用電源の停電時に蓄電池より電源を供給して通話中の呼を保持するボタン電話装置が開示されているだけで、本願発明のように冗長構成を有する通信システムについては開示されていない。
【発明の開示】
【発明が解決しようとする課題】
【０００８】
ところで、従来の無中断ファイル更新処理方式には、次のような問題がある。
すなわち、特許文献１に開示されている従来の無中断ファイル更新処理方式は、旧ファイルで運転する現用系である運用系１Ａから、新ファイルで運転する待機系である予備系１Ｂの主記憶装置ＭＭ（１）へ新規呼の情報を書き込むことで、徐々に待機系へ呼処理を移行するように構成されている。しかしながら、この無中断ファイル更新処理方式は、サービスの連続性という点では優れているものの、運用系１ＡのＣＰＵ（０）２Ａから予備系１ＢのＭＭ（１）へ新規呼の情報を書き込む機能及びＭＭ（１）に書き込まれた新規呼の情報から処理を実行する機能などの特殊の機能を必要とするので、サービス中装置である運用系１Ａ及び予備装置である予備系１Ｂを構成するサーバが特殊の機能を備えた特殊の装置になるので、コストアップが避けられなくなる。
【０００９】
この発明は、上述の事情に鑑みてなされたもので、現用系及び待機系をともに特殊の機能を必要としない一般的なサーバにより構成して、コストダウンを図ることができるようにした冗長構成を有する通信システム及び該システムによる系切り替え方法を提供することを目的としている。
【課題を解決するための手段】
【００１０】
上記課題を解決するために、この発明の第１の構成は、サービス中装置である現用系と予備装置である待機系から成る冗長構成を有する通信システムに係り、通信端末を含む通信用ネットワーク網から成る対向ネットワークと第１のネットワークを通じて選択的に接続されるとともに、第２のネットワークを通じて相互に接続される第１のサーバ及び第２のサーバを備え、前記第１及び第２のサーバはそれぞれ、前記対向ネットワークから送信された呼をいずれか側のサーバに振り分ける機能を有する呼振り分け機能部と、各呼振り分け機能部により振り分けられた前記呼を処理する機能を有する呼処理機能部を有し、前記現用系となる前記両サーバの内の一方側のサーバに送信された呼は該サーバの前記呼処理機能部により処理され、前記現用系から前記待機系への系切り替え時には、前記現用系に送信された新規呼は前記一方側のサーバの前記呼振り分け機能部により前記待機系となる他方側のサーバに転送されて、該他方側のサーバの前記呼処理機能部により処理されることを特徴としている。
【００１１】
この発明の第２の構成は、請求項１乃至５のいずれか１に記載の冗長構成を有する通信システムによる系切り替え方法に係り、前記現用系となる前記一方側のサーバの前記呼振り分け機能部が前記対向ネットワークから送信されてきた呼情報に基づいて、前記一方側のサーバが前記現用系から前記待機系へ系切り替え中であるか否かを判定するステップと、前記系切り替え中でない場合は、前記呼振り分け機能部が新規呼を受信したか否かを判定し、該新規呼を受信した場合は、前記一方側のサーバの前記呼処理機能部が前記新規呼の必要な呼処理を行うステップと、前記系切り替え中である場合は、前記呼処理機能部が通話中呼が残っているか否かを判定し、該通話中呼が残っていない場合は、前記呼処理機能部が前記他方側のサーバへの呼切り替え準備が整ったと判断して、前記一方側のサーバ側に設定されていた外部装置との通信用ＩＰアドレスを削除して、前記他方側のサーバ側に設定するステップと、前記通話中呼が残っている場合は、前記呼処理機能部が前記通話中呼の必要な呼処理を行うとともに、前記呼振り分け機能部が前記新規呼を受信したか否かを判定し、該新規呼を受信した場合は、前記呼振り分け機能部が前記一方側のサーバから前記他方側のサーバへ前記新規呼を転送して、前記他方側のサーバの前記呼処理機能部が前記新規呼の必要な処理を行うステップとを経ることを特徴としている。
【発明の効果】
【００１２】
このように、この発明の構成によれば、従来のように、現用系のＣＰＵから待機系の主記憶装置へ新規呼の情報を書き込む機能及び主記憶装置に書き込まれた新規呼の情報から処理を実行する機能などの特殊の機能を備えることなく、現用系及び待機系をともに特殊の機能を必要としない一般的なサーバにより構成した安価な冗長構成を有する通信システムにより現用系から待機系への系切り替えを行うので、コストダウンを図ることができる。
【発明を実施するための最良の形態】
【００１３】
冗長構成を有する通信システムとしての電話交換システム１は、通信端末を含む通信用ネットワーク網から成る対向ネットワーク４０と第１のネットワーク３０を通じて選択的に接続されるとともに、第２のネットワーク５０を通じて相互に接続される第１のサーバ１０及び第２のサーバ２０を備え、第１及び第２のサーバ１０、２０はそれぞれ対向ネットワーク４０から送信された呼をいずれか側のサーバに振り分ける機能を有する呼振り分け機能部１１、２１と、各呼振り分け機能部１１，２１により振り分けられた呼を処理する機能を有する呼処理機能部１２、２２を有し、現用系となるサーバ１０に送信された呼は第１の呼処理機能部１２により処理され、現用系から待機系への系切り替え時には、現用系に送信された新規呼は第１のサーバ１０の呼振り分け機能部１１により待機系となる第２のサーバ２０に転送されて、この第２のサーバ２０の呼処理機能部２２により処理される。
【実施形態１】
【００１４】
図１は、この発明の実施形態１である冗長構成を有する通信システムの概略構成を示す構成図である。なお、本実施形態１では同通信システムを電話交換システムに適用した例で示している。
この実施形態１である冗長構成を有する通信システムとしての電話交換システム１は、同図に示すように、第１の呼振り分け機能部１１及び第１の呼処理機能部１２を有する第１のサーバ１０と、第２の呼振り分け機能部２１及び第２の呼処理機能部２２を有する第２のサーバ２０と、通信端末を含む通信用ネットワーク網から構成される対向ネットワーク４０と、現用系となる第１のサーバ１０あるいは第２のサーバ２０と対向ネットワーク４０との間を接続する第１のネットワーク３０と、第１のサーバ１０と第２のサーバ２０との間を相互に接続するネットワーク５０とを備えている。
【００１５】
第１及び第２のサーバ１０，２０は、相互に代替が可能となるように同一の構成内容から成り、少なくとも前述したような従来例における運用系１ＡのＣＰＵ（０）２Ａから予備系１Ｂの主記憶装置ＭＭ（１）へ新規呼の情報を書き込む機能及びＭＭ（１）に書き込まれた新規呼の情報から処理を実行する機能などの特殊の機能を必要としていない、一般的なサーバから構成されている。
【００１６】
また、第１及び第２のサーバ１０，２０は、現用系と待機系との通信用ＩＰ（Ｉｎｔｅｒｎｅｔ  Ｐｒｏｔｏｃｏｌ）アドレスを有するとともに、現用系と外部装置との通信用ＩＰアドレスを有している。この外部装置との通信用ＩＤアドレスは、第１及び第２のサーバ１０，２０の内、現用系として動作している方にのみ選択的に設定される（割り当てられる）。系切り替えなどにより現用系が切り替った場合は、新しく現用系となった側に外部装置との通信用ＩＰアドレスが設定されて、対向ネットワーク４０から現用系に呼が送信される。
【００１７】
第１及び第２のサーバ１０，２０の各呼処理機能部１２，２２は、電話交換システムにおいて交換サービスのために、各呼振り分け機能部１１，２１によって振り分けられた呼を処理する機能を有し，ソフトウエアによって実装されている。
【００１８】
第１及び第２のサーバ１０、２０の各呼振り分け機能部１１，２１は、対向ネットワーク４０から送信されてきた呼を第１あるいは第２のサーバ１０、２０のいずれか側に振り分ける機能を有する。通常は現用系に呼が送信されてきて、そのまま現用系の呼処理機能部で処理される。一方、現用系から待機系への系切り替え時には、現用系に送信されてきた新規呼は呼振り分け機能部１１，２１によって、待機系に転送されて、この待機系の呼処理機能部で処理される。
【００１９】
第１のネットワーク３０は、現用系と外部装置との通信用ＩＰアドレスを使用して、第１あるいは第２のサーバ１０、２０と対向ネットワーク４０との間を接続している。第２のネットワーク５０は、現用系と待機系との通信用ＩＰアドレスを使用して、第１及び第２のサーバ１０、２０間を相互に接続している。
【００２０】
このように、本実施形態１の冗長構成を有する通信システムである電話交換システム１によれば、通信端末を含む通信用ネットワーク網から成る対向ネットワーク４０と第１のネットワーク３０を通じて選択的に接続されるとともに、第２のネットワーク５０を通じて相互に接続される第１のサーバ１０及び第２のサーバ２０を備え、第１及び第２のサーバ１０はそれぞれ対向ネットワーク４０から送信された呼をいずれか側のサーバに振り分ける機能を有する呼振り分け機能部１１、２１と、各呼振り分け機能部１１，２１により振り分けられた呼を処理する機能を有する呼処理機能部１２、２２を有し、現用系となるサーバ１０に送信された呼は第１の呼処理機能部１２により処理され、現用系から待機系への系切り替え時には、現用系に送信された新規呼は第１のサーバ１０の呼振り分け機能部１１により待機系となる第２のサーバ２０に転送されて、この第２のサーバ２０の呼処理機能部２２により処理されるので、従来のように、現用系のＣＰＵから待機系の主記憶装置へ新規呼の情報を書き込む機能及び主記憶装置に書き込まれた新規呼の情報から処理を実行する機能などの特殊の機能を備えて、系切り替え時に通信中呼を救済するための情報を引き継ぐ必要がなくなる。
したがって、現用系及び待機系をともに特殊の機能を必要としない一般的なサーバにより冗長構成を有する通信システムを構成することができるので、コストダウンを図ることができる
【実施形態２】
【００２１】
図２は、この発明の実施形態２である実施形態１の冗長構成を有する通信システムによる系切り替え方法を説明するフローチャートである。以下、同図を参照してステップ順に説明する。なお、本実施形態２は同通信システムを電話交換システムに適用した例で説明している。前提として、第１のサーバが現用系で、第２のサーバが待機系である例で説明する。
まず、現用系である第１のサーバ１０の第１の呼振り分け機能部１１は、対向ネットワーク４０から第１のネットワーク３０を通じて送信されてきた呼情報に基づいて、第１のサーバ１０が現用系から待機系へ系切り替え中であるか否かを判定する（ステップ１）。
【００２２】
系切り替え中でない場合は、第１の呼振り分け機能部１１は、新規呼を受信したか否かを判定する（ステップ２）。新規呼を受信しない場合は、フローはステップ１に戻る。新規呼を受信した場合は、第１の呼振り分け機能部１１はその新規呼を第１の呼処理機能部１２に振り分ける。これに基づいて、第１の呼処理機能部１２は新規呼の必要な呼処理を行う（ステップ３）。
【００２３】
ステップ１において、第１のサーバ１０が現用系から待機系へ系切り替え中である場合は、第１の呼処理機能部１２は通話中呼が残っているか否かを判定する（ステップ４）。通話中呼が残っていない場合は、第１の呼処理機能部１２は、第２のサーバ２０への呼切り替え準備が整ったと判断して、これまで現用系として動作していた第１のサーバ１０側に設定されていた外部装置との通信用ＩＰアドレスを削除して、第２のサーバ２０側に設定する（ステップ７）。この時点で、現用系である第１のサーバ１０から待機系である第２のサーバ２０への系切り替えが完了する。
【００２４】
一方、ステップ４において、通話中呼が残っている場合は、第１の呼処理機能部１２はその通話中呼の必要な呼処理を行う。この通話中呼の呼処理が終了した時点で、第１のサーバ１０に通話中呼が残っている場合の、現用系である第１のサーバ１０から待機系である第２のサーバ２０への系切り替えが完了する。次に、第１の呼振り分け機能部１１は新規呼を受信したか否かを判定する（ステップ５）。ここで、新規呼を受信していた場合は、第１の呼振り分け機能部１１は、第１のサーバ１０から第２のサーバ２０へその新規呼を転送する（ステップ６）。この際、第１のサーバ１０と第２のサーバ２０との間の通信には、ネットワーク５０によって現用系と待機系との通信用ＩＰアドレスを使用して行われる。これに基づいて、第２の呼処理機能部２２は第２のサーバ２０に転送された新規呼の必要な呼処理を行う。ステップ５において、新規呼を受信していない場合は、フローはステップ１に戻る。
【００２５】
このように、本実施形態２の冗長構成を有する通信システムによる系切り替え方法によれば、実施形態１の冗長構成を有する電話交換システム１を用いることにより、現用系となる第１のサーバ１０の呼振り分け機能部１１が対向ネットワーク４０から送信されてきた呼情報に基づいて、第１のサーバ１０が現用系から待機系へ系切り替え中であるか否かを判定するステップと、系切り替え中でない場合は、第１の呼振り分け機能部１１が新規呼を受信したか否かを判定し、新規呼を受信した場合は、第１のサーバ１０の呼処理機能部１２が新規呼の必要な呼処理を行うステップと、系切り替え中である場合は、第１の呼処理機能部１２が通話中呼が残っているか否かを判定し、通話中呼が残っていない場合は、第１の呼処理機能部１２が第２のサーバへの呼切り替え準備が整ったと判断して、第１のサーバ１０側に設定されていた外部装置との通信用ＩＰアドレスを削除して、第２のサーバ２０側に設定するステップと、通話中呼が残っている場合は、第１の呼処理機能部１２が通話中呼の必要な呼処理を行うとともに、第１の呼振り分け機能部１１が新規呼を受信したか否かを判定し、新規呼を受信した場合は、第１の呼振り分け機能部１１が第１のサーバ１０から第２のサーバ２０へ新規呼を転送して、第２のサーバの第２の呼処理機能部２２が新規呼の必要な処理を行うステップとを経て系切り替えを行うので、現用系及び待機系をともに特殊の機能を必要としない一般的なサーバにより構成された安価な通信システムにより系切り替えを行うことができる。
【実施形態３】
【００２６】
図３は、この発明の実施形態３である実施形態１の冗長構成を有する通信システムによる系切り替え方法を説明するフローチャートである。本実施形態３の系切り替え方法の構成が、上述の実施形態２のそれぞれと大きく異なるところは、第２のサーバを現用系として用いるようにした点である。以下、同図を参照してステップ順に説明する。
まず、現用系である第２のサーバ２０の第２の呼振り分け機能部２１は、対向ネットワーク４０から第１のネットワーク３０を通じて送信されてきた呼情報に基づいて、第２のサーバ１０が現用系から待機系へ系切り替え中であるか否かを判定する（ステップ１１）。
【００２７】
系切り替え中でない場合は、第２の呼振り分け機能部２１は、新規呼を受信したか否かを判定する（ステップ１２）。新規呼を受信しない場合は、フローはステップ１１に戻る。新規呼を受信した場合は、第２の呼振り分け機能部２１はその新規呼を第２の呼処理機能部２２に振り分ける。これに基づいて、第２の呼処理機能部２２は新規呼の必要な呼処理を行う（ステップ１３）。
【００２８】
ステップ１１において、第２のサーバ２０が現用系から待機系へ系切り替え中である場合は、第２の呼処理機能部２２は通話中呼が残っているか否かを判定する（ステップ１４）。通話中呼が残っていない場合は、第２の呼処理機能部２２は、第１のサーバ１０への呼切り替え準備が整ったと判断して、これまで現用系として動作していた第２のサーバ２０側に設定されていた外部装置との通信用ＩＰアドレスを削除して、第１のサーバ１０側に設定する（ステップ１７）。この時点で、現用系である第２のサーバ２０から待機系である第１のサーバ１０への系切り替えが完了する。
【００２９】
一方、ステップ１４において、通話中呼が残っている場合は、第２の呼処理機能部２２はその通話中呼の必要な呼処理を行う。この通話中呼の呼処理が終了した時点で、第２のサーバ２０に通話中呼が残っている場合の、現用系である第２のサーバ２０から待機系である第１のサーバ１０への系切り替えが完了する。次に、第２の呼振り分け機能部２１は新規呼を受信したか否かを判定する（ステップ１５）。ここで、新規呼を受信していた場合は、第２の呼振り分け機能部２１は、第２のサーバ２０から第１のサーバ１０へその新規呼を転送する（ステップ１６）。この際、第２のサーバ２０と第１のサーバ１０との間の通信には、ネットワーク５０によって現用系と待機系との通信用ＩＰアドレスを使用して行われる。これに基づいて、第１の呼処理機能部１２は第１のサーバ１０に転送された新規呼の必要な呼処理を行う。ステップ１５において、新規呼を受信していない場合は、フローはステップ１１に戻る。
【００３０】
このように、本実施形態３の冗長構成を有する通信システムによる系切り替え方法によれば、実施形態１の冗長構成を有する通信システム１により、現用系となるサーバを入れ替えるだけで、実施形態２と略同様な効果を得ることができる。
【００３１】
以上、この発明の実施形態を図面により詳述してきたが、具体的な構成はこれらの実施形態に限られるものではなく、この発明の要旨を逸脱しない範囲の設計の変更等があってもこの発明に含まれる。例えば、現用系から待機系への系切り替え時には、予め待機系を機能追加などの新ファイルで運用しておくことにより、サービスを中断することなくファイル更新を行うことができる。また、本実施形態では冗長構成を有する通信システムとしては電話交換システムに例をあげて説明したが、サービスの連続性が求められるシステムであれば、電話交換システムに限らず、データ通信システムなどを含めた他の通信システム全般に適用可能である。
【図面の簡単な説明】
【００３２】
【図１】この発明の実施形態１である冗長構成を有する通信システムの概略構成を示す構成図である。
【図２】この発明の実施形態２である実施形態１の冗長構成を有する通信システムによる系切り替え方法を説明するフローチャートである。
【図３】この発明の実施形態３である実施形態１の冗長構成を有する通信システムによる系切り替え方法を説明するフローチャートである。
【図４】従来の無中断ファイル更新処理方式を示す構成図である。
【符号の説明】
【００３３】
１      冗長構成を有する電話交換システム（通信システム）
１０      第１のサーバ
１１      第１の呼振り分け機能部
１２      第１の呼処理機能部
２０      第２のサーバ
２１      第２の呼振り分け機能部
２２      第２の呼処理機能部
３０      第１のネットワーク
４０      対向ネットワーク
５０      第２のネットワーク
【図１】
2009246475.tif 000003
【図２】
2009246475.tif 000004
【図３】
2009246475.tif 000005
【図４】
2009246475.tif 000006